【手続補正書】
【提出日】平成15年8月5日(2003.8.5)
【手続補正１】
【補正対象書類名】明細書
【補正対象項目名】特許請求の範囲
【補正方法】変更
【補正の内容】
【特許請求の範囲】
【請求項１】
液晶表示装置において、
液晶を挟んで互いに対向する一対の基板と、
一方の前記基板上に直接に接合された半導体素子と、
信号が前記半導体素子に導かれるように一方の前記基板上に設けられた複数の半導体入力用端子と、
光を発する光源と、
前記光源からの光を導く導光体と、
前記導光体に設けられ、弾性体コネクタを収納する穴と、
を備え、
前記半導体入力用端子は、前記液晶表示装置が使用される機器に設けられた半導体駆動用出力端子に接続され、
前記半導体入力用端子と前記半導体駆動用出力端子とは、前記弾性体コネクタを介して互いに接続され、
前記弾性体コネクタは、交互に配置された複数の導電部及び複数の非導電部を有していることを特徴とする液晶表示装置。
【請求項２】
液晶表示装置を使用する機器において、
前記機器は、前記液晶表示装置が接続される複数の半導体駆動用出力端子を有し、
前記液晶表示装置は、液晶を挟んで互いに対向する一対の基板と、一方の前記基板に直接的に接続された半導体素子と、信号が前記半導体素子に導かれるように一方の前記基板に設けられた複数の半導体入力用端子と、を備え、
前記液晶表示装置の前面側にシールドケースが配置され、
前記シールドケースと前記液晶表示装置との間に加圧用部材が配置され、
前記半導体入力用端子と前記半導体駆動用出力端子は弾性体コネクタを介して互いに接続され、
前記弾性体コネクタは、交互に配置された複数の導電部及び複数の非導電部を有し、
前記複数の半導体駆動用出力端子は、前記液晶表示装置の裏面側に配置された本体基板に設けられ、
前記弾性体コネクタは、前記本体基板と一方の前記基板との間で支持され、
前記弾性体コネクタは、前記加圧用部材を介して加圧されることにより固定されることを特徴とする機器。
【請求項３】
液晶表示装置において、
液晶を挟んで互いに対向する一対の基板と、
一方の前記基板に直接的に接続された半導体素子と、
信号が前記半導体素子に導かれるように一方の前記基板に設けられた複数の半導体入力用端子と、
交互に配置された複数の導電部及び複数の非導電部を有し、前記液晶表示装置を使用する機器に設けられた半導体駆動用出力端子に接続される弾性体コネクタと、
光を発する光源と、
前記光源からの光を導き、前記弾性体コネクタを収納する穴が設けられてなる導光体と、
を備えることを特徴とする液晶表示装置。
【請求項４】
機器において、
複数の半導体駆動用出力端子と、
信号を半導体素子に導くための複数の半導体入力用端子を有する液晶表示装置と、
を備え、
前記複数の半導体入力用端子は、弾性体コネクタを介して前記複数の半導体駆動用出力端子に接続され、
前記弾性体コネクタは、交互に配置された複数の導電部及び複数の非導電部を有し、
前記液晶表示装置の前面側にシールドケースが配置され、
前記シールドケースと前記液晶表示装置との間に加圧用部材が配置され、
前記弾性体コネクタは、前記加圧用部材を介して加圧されることにより固定されることを特徴とする機器。
【請求項５】
液晶表示装置を使用し、前記液晶表示装置が接続される複数の半導体駆動用出力端子を有する機器において、
液晶を挟んで互いに対向する一対の基板と、
一方の前記基板に直接的に接続された半導体素子と、
前記半導体素子に信号が導かれるように一方の前記基板に設けられた複数の半導体入力用端子と、
を備え、
前記半導体入力用端子及び前記半導体駆動用出力端子は、弾性体コネクタを介して互いに接続され、
前記弾性体コネクタは、交互に配置された複数の導電部及び複数の非導電部を有し、
前記液晶表示装置の前面側にシールドケースが配置され、
前記複数の半導体駆動用出力端子は、ＦＰＣに設けられ、
前記ＦＰＣは、前記弾性体コネクタと前記シールドケースとの間に配置され、前記弾性体コネクタが、前記シールドケースと一方の前記基板とによって加圧されることにより、前記ＦＰＣが固定されることを特徴とする機器。
【請求項６】
液晶表示装置において、
液晶を挟んで互いに対向する一対の基板と、
一方の前記基板に直接的に接続された半導体素子と、
信号が前記半導体素子に導かれるように一方の前記基板に設けられた複数の半導体入力用端子と、
を備え、
前記複数の入力端子は、前記液晶表示装置を使用する機器に設けられた半導体駆動用出力端子に接続され、
前記半導体入力用端子及び前記半導体駆動用出力端子は弾性体コネクタを介して互いに接続され、
前記弾性体コネクタは、交互に配置された複数の導電部及び複数の非導電部を有するとともに、断面半円形状の柱状に形成されてなることを特徴とする液晶表示装置。
【請求項７】
液晶表示装置を使用し、前記液晶表示装置が接続される複数の半導体駆動用出力端子を有する機器において、
液晶を挟んで互いに対向する一対の基板と、
一方の前記基板に直接的に接続された半導体素子と、
前記半導体素子に信号が導かれるように一方の前記基板に設けられた複数の半導体入力用端子と、
光を発する光源と、
前記光源からの光を導く導光体と、
前記導光体に設けられ、弾性体コネクタを収納するための穴と、
を備え、
前記半導体入力用端子及び前記半導体駆動用出力端子は、前記弾性体コネクタを介して互いに接続され、
前記弾性体コネクタは、交互に配置された複数の導電部及び複数の非導電部を有するとともに、断面半円形状の柱状に形成されてなることを特徴とする機器。
【手続補正２】
【補正対象書類名】明細書
【補正対象項目名】０００６
【補正方法】変更
【補正の内容】
【０００６】
【課題を解決するための手段】
本発明の液晶表示装置は、液晶表示装置において、液晶を挟んで互いに対向する一対の基板と、一方の前記基板上に直接に接合された半導体素子と、信号が前記半導体素子に導かれるように一方の前記基板上に設けられた複数の半導体入力用端子と、光を発する光源と、前記光源からの光を導く導光体と、前記導光体に設けられ、弾性体コネクタを収納する穴と、を備え、前記半導体入力用端子は、前記液晶表示装置が使用される機器に設けられた半導体駆動用出力端子に接続され、前記半導体入力用端子と前記半導体駆動用出力端子とは、前記弾性体コネクタを介して互いに接続され、前記弾性体コネクタは、交互に配置された複数の導電部及び複数の非導電部を有していることを特徴とする。
本発明の液晶表示装置を使用する機器は、液晶表示装置を使用する機器において、前記機器は、前記液晶表示装置が接続される複数の半導体駆動用出力端子を有し、前記液晶表示装置は、液晶を挟んで互いに対向する一対の基板と、一方の前記基板に直接的に接続された半導体素子と、信号が前記半導体素子に導かれるように一方の前記基板に設けられた複数の半導体入力用端子と、を備え、前記液晶表示装置の前面側にシールドケースが配置され、前記シールドケースと前記液晶表示装置との間に加圧用部材が配置され、前記半導体入力用端子と前記半導体駆動用出力端子は弾性体コネクタを介して互いに接続され、前記弾性体コネクタは、交互に配置された複数の導電部及び複数の非導電部を有し、前記複数の半導体駆動用出力端子は、前記液晶表示装置の裏面側に配置された本体基板に設けられ、前記弾性体コネクタは、前記本体基板と一方の前記基板との間で支持され、前記弾性体コネクタは、前記加圧用部材を介して加圧されることにより固定されることを特徴とする。
本発明の液晶表示装置は、液晶表示装置において、液晶を挟んで互いに対向する一対の基板と、一方の前記基板に直接的に接続された半導体素子と、信号が前記半導体素子に導かれるように一方の前記基板に設けられた複数の半導体入力用端子と、交互に配置された複数の導電部及び複数の非導電部を有し、前記液晶表示装置を使用する機器に設けられた半導体駆動用出力端子に接続される弾性体コネクタと、光を発する光源と、前記光源からの光を導き、前記弾性体コネクタを収納する穴が設けられてなる導光体と、を備えることを特徴とする。
本発明の機器は、機器において、複数の半導体駆動用出力端子と、信号を半導体素子に導くための複数の半導体入力用端子を有する液晶表示装置と、を備え、前記複数の半導体入力用端子は、弾性体コネクタを介して前記複数の半導体駆動用出力端子に接続され、前記弾性体コネクタは、交互に配置された複数の導電部及び複数の非導電部を有し、前記液晶表示装置の前面側にシールドケースが配置され、前記シールドケースと前記液晶表示装置との間に加圧用部材が配置され、前記弾性体コネクタは、前記加圧用部材を介して加圧されることにより固定されることを特徴とする。
本発明の機器は、液晶表示装置を使用し、前記液晶表示装置が接続される複数の半導体駆動用出力端子を有する機器において、液晶を挟んで互いに対向する一対の基板と、一方の前記基板に直接的に接続された半導体素子と、前記半導体素子に信号が導かれるように一方の前記基板に設けられた複数の半導体入力用端子と、を備え、前記半導体入力用端子及び前記半導体駆動用出力端子は、弾性体コネクタを介して互いに接続され、前記弾性体コネクタは、交互に配置された複数の導電部及び複数の非導電部を有し、前記液晶表示装置の前面側にシールドケースが配置され、前記複数の半導体駆動用出力端子は、ＦＰＣに設けられ、前記ＦＰＣは、前記弾性体コネクタと前記シールドケースとの間に配置され、前記弾性体コネクタが、前記シールドケースと一方の前記基板とによって加圧されることにより、前記ＦＰＣが固定されることを特徴とする。
本発明の液晶表示装置は、液晶表示装置において、液晶を挟んで互いに対向する一対の基板と、一方の前記基板に直接的に接続された半導体素子と、信号が前記半導体素子に導かれるように一方の前記基板に設けられた複数の半導体入力用端子と、を備え、前記複数の入力端子は、前記液晶表示装置を使用する機器に設けられた半導体駆動用出力端子に接続され、前記半導体入力用端子及び前記半導体駆動用出力端子は弾性体コネクタを介して互いに接続され、前記弾性体コネクタは、交互に配置された複数の導電部及び複数の非導電部を有するとともに、断面半円形状の柱状に形成されてなることを特徴とする。
本発明の機器は、液晶表示装置を使用し、前記液晶表示装置が接続される複数の半導体駆動用出力端子を有する機器において、液晶を挟んで互いに対向する一対の基板と、一方の前記基板に直接的に接続された半導体素子と、前記半導体素子に信号が導かれるように一方の前記基板に設けられた複数の半導体入力用端子と、光を発する光源と、前記光源からの光を導く導光体と、前記導光体に設けられ、弾性体コネクタを収納するための穴と、を備え、前記半導体入力用端子及び前記半導体駆動用出力端子は、前記弾性体コネクタを介して互いに接続され、前記弾性体コネクタは、交互に配置された複数の導電部及び複数の非導電部を有するとともに、断面半円形状の柱状に形成されてなることを特徴とする。
本発明に係る液晶表示装置は、液晶を挟んで互いに対向する一対の基板と、少なくとも一方の基板上に直接に接合された半導体素子と、半導体素子へ信号を導くために基板上に形成された複数の半導体入力用端子とを有し、そして、それらの半導体入力用端子が液晶表示使用機器の半導体駆動用出力端子に接続される。そしてこの液晶表示装置では、非導電部を挟んで並べられた複数の導電部を有する弾性体コネクタによって、半導体入力用端子と液晶表示使用機器の半導体駆動用出力端子とを接続する。「半導体素子を少なくとも一方の基板上に直接に接合する」という構成要件は、本発明が、いわゆるＣＯＧ型液晶表示装置に適用されることを示している。